(57)【要約】      （修正有）【課題】複数のゴルフクラブを安定して収容させることが可能なゴルフクラブ収納箱の構造を提供する。【解決手段】相互に対応して開閉させることができる第一箱体１と第二箱体２とからなる。前記第一、二箱体は、それぞれ収容空間１０，２０を備え、収容空間内には、それぞれ少なくとも一つの支持体１３，２３と複数の物置台座１４，２４が設けられ、支持体には複数の凹溝１３１，２３１が設けられるとともに、支持体は物置台座に相互に対応し、各物置台座は物置空間１４０，２４０を備え、物置空間内には相互に対応する少なくとも二つの弾性挟片１４１，２４１が設けられる。【選択図】図３
0003172699.tif 000002
【実用新案登録請求の範囲】
【請求項１】
複数のゴルフクラブを収納できるゴルフクラブ収納箱の構造であって、
前記ゴルフクラブ収納箱の構造は、第一箱体と、第二箱体とからなり、
前記第一箱体は、開放式の収容空間を備え、前記第一箱体の一側辺には連結部が設けられ、対応する他方の側辺には接合部が設けられ、前記第一箱体の収容空間内には複数の物置台座が設けられ、前記物置台座は物置空間を備え、
前記第二箱体は、前記第一箱体と相互に対応して開閉させることができ、前記第二箱体は、開放式の収容空間を備え、前記第二箱体の一側辺には連結部が設けられ、対応する他方の側辺には接合部が設けられ、前記第二箱体の連結部と前記第一箱体の連結部は相互に連結し、前記第二箱体の接合部は、前記第一箱体の接合部と相互に接合されることを特徴とする、ゴルフクラブ収納箱の構造。
【請求項２】
前記第二箱体の収容空間内には複数の物置台座が設けられ、前記物置台座は物置空間を備え、第二箱体の物置台座と第一箱体の物置台座は、それぞれ位置がずれるように設けられ、前記第一箱体と第二箱体の収容空間内には、それぞれ、少なくとも一つの支持体が設けられ、前記支持体には複数の凹溝が設けられることを特徴とする、請求項１に記載のゴルフクラブ収納箱の構造。
【請求項３】
前記第一箱体と第二箱体の物置台座の物置空間内には、それぞれ、少なくとも二つの弾性挟片が設けられ、前記少なくとも二つの弾性挟片は相互に対応することを特徴とする、請求項２に記載のゴルフクラブ収納箱の構造。
【請求項４】
前記第一箱体と第二箱体には、それぞれ、取り外し可能な上蓋部が設けられ、前記上蓋部には第一結合部が設けられ、前記第一箱体と第二箱体には、それぞれ第二結合部が設けられ、第一箱体の第二結合部は、その上蓋部の第一結合部に組み合わされ、第二箱体の第二結合部は、その上蓋部の第一結合部に組み合わされ、前記第一箱体の上蓋部には少なくとも一つの第一收納空間が設けられ、前記收納空間の開口箇所には蓋体が設けられることを特徴とする、請求項１に記載のゴルフクラブ収納箱の構造。
【請求項５】
前記第一箱体と第二箱体における接合部に近接する側辺には、少なくとも二つの螺合部材が設けられ、第一箱体と第二箱体の底面には、それぞれ、複数のブロック体が設けられることを特徴とする、請求項１に記載のゴルフクラブ収納箱の構造。
【請求項６】
前記第二箱体の外部における底面に近接する位置には、少なくとも二つの凹溝が設けられ、前記凹溝には滑車が設けられ、前記滑車は反転メカニズムを備えることを特徴とする、請求項１に記載のゴルフクラブ収納箱の構造。
【請求項７】
前記第一箱体の接合部の側辺には、少なくとも二つの輪部が設けられるとともに少なくとも二つの環状体が枢設され、前記第二箱体外部と第二箱体の接合部の側辺には取っ手が設けられることを特徴とする、請求項１に記載のゴルフクラブ収納箱の構造。
【請求項８】
前記第一箱体の外部には凹溝が設けられ、前記凹溝には支持棒が枢設されることを特徴とする、請求項１に記載のゴルフクラブ収納箱の構造。
【請求項９】
前記ゴルフクラブ収納箱の構造は、更にオーニングを備え、前記第一箱体と第二箱体の頂面は開口を形成し、前記第一箱体と第二箱体の収容空間の底部には、少なくとも一つの伸縮レールが設けられ、前記伸縮レールには遮蔽板が結合され、前記遮蔽板は、第一箱体と第二箱体の収容空間内で縦方向に上下に移動し、
前記遮蔽板を上に移動させて第一箱体と第二箱体の収容空間の外部に配置させ、前記オーニングで前記二枚の遮蔽板を覆わせることにより、第一箱体と第二箱体の頂面が形成する開口が覆われることを特徴とする、請求項１に記載のゴルフクラブ収納箱の構造。
【考案の詳細な説明】
【技術分野】
【０００１】
本考案はゴルフクラブ収納箱の構造に関し、特に複数のゴルフクラブを第一箱体と第二箱体内に安定して収容させることが可能なゴルフクラブ収納箱の構造に関する。
【背景技術】
【０００２】
従来のゴルフバッグは、ゴルフクラブを収納する時、ゴルフクラブのグリップを下にしてゴルフバッグ内に入れることにより、ゴルフクラブがゴルフバッグの外部に露出する。それにより、空気中のほこりや水気がゴルフクラブに付着してしまうことが多く、ゴルフクラブが汚損したり、さびたりしやすくなる。また、ゴルフバッグは、仕切り板により隔てられた空間が大きいため、ゴルフクラブがゴルフバッグ内で左右に揺れて、ゴルフバッグを運ぶ過程で、前記ゴルフクラブが相互にぶつかりあって、ゴルフクラブのシャフトやクラブヘッドが破損してしまいやすい。さらに、従来のゴルフバッグは、開放式の袋体であるため、外界のほこりがゴルフバッグ内部と底部に堆積或いは付着することが多く、また、それに加え、従来のゴルフバッグは取り外して分離することができないため、ゴルフバッグ内部と底部に汚れがたまりやすい。
【考案の概要】
【考案が解決しようとする課題】
【０００３】
そこで、本考案は、複数のゴルフクラブを安定して収容させることが可能なゴルフクラブ収納箱の構造を提供することを目的とする。
【課題を解決するための手段】
【０００４】
本考案によるゴルフクラブ収納箱の構造は、相互に対応して開閉させることができる第一箱体と第二箱体とによってなる。前記第一箱体と第二箱体は、それぞれ、開放式の収容空間を備え、収容空間内には、それぞれ、少なくとも一つの支持体と複数の物置台座が設けられ、支持体には複数の凹溝が設けられ、凹溝と物置台座は相互に対応し、各物置台座は物置空間を備え、物置空間内には相互に対応する少なくとも二つの弾性挟片が設けられる。
【図面の簡単な説明】
【０００５】
【図１】本考案のゴルフクラブ収納箱の構造の外観を示した斜視図である。
【図２】本考案のゴルフクラブ収納箱の構造の実施例１の使用方法を示した説明図１である。
【図３】本考案のゴルフクラブ収納箱の構造の実施例１の使用方法を示した説明図２である。
【図４】本考案のゴルフクラブ収納箱の構造の実施例１の使用方法を示した説明図３である。
【図５】本考案のゴルフクラブ収納箱の構造の実施例１の使用方法を示した説明図４である。
【図６】本考案のゴルフクラブ収納箱の構造の実施例１の使用方法を示した説明図５である。
【図７】本考案のゴルフクラブ収納箱の構造の実施例１の使用方法を示した説明図６である。
【図８】本考案のゴルフクラブ収納箱の構造の実施例２の概略図である。
【図９】本考案のゴルフクラブ収納箱の構造の実施例２の使用状態を示した説明図である。
【考案を実施するための形態】
【０００６】
（実施例１）
図１、図２、図３に示すように、本考案によるゴルフクラブ収納箱の構造は、第一箱体１と第二箱体２とによって構成し、第一箱体１と第二箱体２は、相互に対応して開閉させることができる。
【０００７】
第一箱体１は開放式の収容空間１０を備え、第一箱体１の一側辺には連結部１１が設けられ、対応する他方の側辺には接合部１２が設けられ、収容空間１０内には、それぞれ、少なくとも一つの支持体１３と複数の物置台座１４が設けられ、支持体１３には複数の凹溝１３１が設けられ、凹溝１３１は物置台座１４に相互に対応する。また、各物置台座１４は物置空間１４０を備え、物置空間１４０内には、相互に対応する少なくとも二つの弾性挟片１４１が設けられる。また、第一箱体１には、取り外し可能な上蓋部１５が設けられ、上蓋部１５には第一結合部１５１が設けられ、第一箱体１には第二結合部１６が設けられ、第一箱体１の第二結合部１６は、上蓋部１５の第一結合部１５１に組み合わせることができ、第一結合部１５１と第二結合部１６の組合せ方法は、相互に嵌合、粘着、螺合させる方法等を用いる。本考案の実施例では、上蓋部１５の第一結合部１５１は凹部であり、第一箱体１の第二結合部１６は凸部であり、第一結合部１５１と第二結合部１６は、相互に嵌合させる方法で組み合わされる。また、第一箱体１の上蓋部１５の位置には、少なくとも一つの第一收納空間１７が設けられ、收納空間１７の開口箇所には蓋体１７１が設けられる（図７に図示）。
【０００８】
第二箱体２は、第一箱体１と相互に対応し開閉させることができる。第二箱体２は開放式の収容空間２０を備え、第二箱体２の一側辺には連結部２１が設けられ、対応する他方の側辺には接合部２２が設けられ、第二箱体２の連結部２１は、第一箱体１の連結部１１と相互に連結させることができ、第二箱体２の接合部２２は、第一箱体１の接合部１２と相互に接合させることができる。また、第二箱体２の収容空間２０内には、少なくとも一つの支持体２３と複数の物置台座２４が設けられ、物置台座２４と第一箱体１の物置台座１１は、それぞれ位置がずれるように設けられる。支持体２３には複数の凹溝２３１が設けられ、凹溝２３１は物置台座２４と相互に対応する。また、各物置台座２４は物置空間２４０を備え、物置空間２４０内には、相互に対応する少なくとも二つの弾性挟片２４１が設けられる。第二箱体２には、取り外し可能な上蓋部２５が設けられ、上蓋部２５には第一結合部２５１が設けられ、第二箱体２には第二結合部２６が設けられ、第二箱体２の第二結合部２６は、その上蓋部２５の第一結合部２５１と相互に組み合わされる。第一結合部２５１と第二結合部２６の組合せ方法は、相互に嵌合、粘着、螺合させる方法等を用いる。また、本考案の実施例では、上蓋部２５の第一結合部２５１を凹部にし、第二箱体２の第二結合部２６を凸部にし、第一結合部２５１と第二結合部２６を相互に嵌合させる方法で組み合わせる。また、第二箱体２の収容空間２０内には、更に、少なくとも一つの第二收納空間２７が設けられ、收納空間２７の開口箇所には蓋体２７１が設けられる。
【０００９】
上述した第一收納空間１７と第二收納空間２７の蓋体１７１、２７１は、開閉メカニズムを有している。本考案の実施例では（図７を図示）、第一收納空間１７と第二收納空間２７の蓋体１７１、２７１は、ファスナーにより開閉メカニズムを達成している。それにより、使用者はゴルフボール、ゴルフティー、グローブ等の物品を、第一收納空間１７と第二收納空間２７に置くことができる。
【００１０】
また、第一箱体１と第二箱体２における接合部１２、２２に近接する側辺には、少なくとも二つの螺合部材３を設けることができ、それにより、第一箱体１と第二箱体２の接合部１２、２２を安定させて接合させることができる。また、本考案の実施例では、螺合部材３は、少なくとも二つの雌留め具３１と少なくとも三つの雄留め具３２とからなり、雌留め具３１の一つは、第一箱体１の接合部１２の側辺における第一結合部１５と第二結合部１６の継ぎ目箇所に設けられ、もう一つの雌留め具３１は、第一箱体１の接合部１２の側辺における第二結合部１６から離れた箇所に設けられ、雄留め具３２の内の二つは、第二箱体２の接合部２２の側辺における第一結合部２５１と第二結合部２６の継ぎ目箇所の両側に設けられ、もう一つの雄留め具３２は、第二箱体２の接合部２２の側辺における第二結合部２６から離れた箇所に設けられる。第一箱体１に設けられた雌留め具３１を第二箱体２に設けられた雄留め具３２に係合させることにより、第一箱体１と第二箱体２の接合部１２、２２は安定して接合され、密封させることができ、それと同時に、第一箱体１と第二箱体２の上蓋部１５、２５が外れるのを防ぐことができる。
【００１１】
また、第二箱体２の外部における底面に近接する位置には、少なくとも二つの凹溝２８が設けられ、凹溝２８には滑車４が設けられ、滑車４は反転メカニズムを有する。滑車４は、使用していない時、凹溝２８内に収容することができる。また、滑車４を使用したい時は、滑車４を反転させて凹溝２８の外に露出させることができ、それにより、使用者は、第一箱体１と第二箱体２を引きずって簡単に移動させることができる。また、第一箱体１と第二箱体２の底面には、それぞれ複数のブロック体５が設けられ、ブロック体５は柱状、半球状等の形態を呈し、第一箱体１と第二箱体２を直立させて置いた時、ブロック体５の緩衝作用により、第一箱体１と第二箱体２の底面が、地面との摩擦や、地面とぶつかることによる損傷を防ぐことができる。
【００１２】
図４と図５に示すように、ゴルフクラブ３０を収納する時、ゴルフクラブ３０を順方向に第一箱体１、或いは、第二箱体２の収容空間１０、２０に入れると、ゴルフクラブ３０のクラブヘッドは、物置台座１４の物置空間１４０内に収容される。この時、ゴルフクラブ３０のクラブヘッドは、物置空間１４０内で、二つの弾性挟片１４１に挟まれることによって、位置決めされる。また、ゴルフクラブ３０のシャフトは、支持体１３の凹溝１３１内に配置され、位置決めされる。それにより、各ゴルフクラブ３０は、第一箱体１、或いは、第二箱体２内に安定して収容され、ゴルフクラブ３０が左右に揺れて互いにぶつかって破損するのを避けることができる。また、第一箱体１と第二箱体２を閉じ合わせ、ゴルフクラブ３０を第一箱体１と第二箱体２内に収容させることにより（図２に図示）、ゴルフクラブ３０を空気中にさらすのを避け、ゴルフクラブ３０が汚損したり、さびたりするのを防ぐことができる。また（図５に図示）、第一箱体１と第二箱体２の上蓋部１５、２５は、取り外して分離させることができ、使用者がゴルフボールで運動する時、様々な型式のゴルフクラブ３０を素早く引き出して交換することができる。
【００１３】
図６に示すように、本考案は、第二箱体２の外部、或いは、第二箱体２の接合部２２の側辺には取っ手６が設けられ、使用者は、第一箱体１と第二箱体２を直立させて引きずる方法で、或いは、横向けにして手で持つ方法で運搬することができる。また、第一箱体１の接合部２２の側辺には、少なくとも二つの輪部８が設けられるとともに少なくとも二つの環状体９が枢設され、輪部８にはベルト４０が設けられ、それにより、使用者は、第一箱体１と第二箱体２を肩にかける方式で運搬することができる。また、環状体９は反転メカニズムを備え、それにより、使用者は、傘５０を環状体９に通すことで、傘５０を第一箱体１の外部に収容させることができる。
【００１４】
図７に示すように、本考案は、更に、第一箱体１の外部に凹溝１８を設け、凹溝１８に支持棒７を枢設する。それにより、第一箱体１と第二箱体２を直立させて置いた時、支持棒７を引っ張りだすことで支持の補助にし、第一箱体１と第二箱体２が倒れてしまうのを防ぐことができる。
【００１５】
（実施例２）
図３、図８、図９に示すように、本考案のゴルフクラブ収納箱の構造は、更に、オーニング８０を備える。また、第一箱体１と第二箱体２の頂面は開口を形成し、第一箱体１と第二箱体２の収容空間１０、２０は外に露出し、第一箱体１と第二箱体２の収容空間１０、２０の底部には、少なくとも一つの伸縮レール６０が縦方向に設けられ、伸縮レール６０には遮蔽板７０が結合され、第一箱体１と第二箱体２の収容空間１０、２０内に配置された遮蔽板７０は、縦方向に移動させることができる。第一箱体１、第二箱体２の収容空間１０、２０内の遮蔽板７０を引っ張って固定させると、遮蔽板７０は上に移動して第一箱体１と第二箱体２の収容空間１０、２０の外部に配置される。そして、さらに、オーニング８０で前記二枚の遮蔽板７０を覆うと、第一箱体１と第二箱体２の頂面が形成する開口を覆うことができ、ゴルフクラブ３０は第一箱体１と第二箱体２内に密閉して収容され（図９に図示）、ゴルフクラブ３０が空気中に触れるのを防ぎ、ゴルフクラブ３０が汚損したり、さびたりするのを避けることができる。また、本考案の実施例において、第一箱体１の連結部１１と接合部１２の外部側辺は、少なくとも一つのフック１９がそれぞれ設けられ、第二箱体２の連結部２１と接合部２２の外部側辺には、少なくとも一つのフック２９がそれぞれ設けられる。また、オーニング８０は、收納裝置９０に結合され、收納裝置９０の内部は、リセットメカニズムをもつ回転軸を備えるとともに、オーニング８０に連結され、それにより、オーニング８０を伸縮させることで收納裝置９０内に収納させることができる。また、オーニング８０の一端には少なくとも一つの環状留め具８０１が設けられ、收納裝置９０には環状留め具９０１が設けられる。收納裝置９０の環状留め具９０１を第一箱体１と第二箱体２一側辺のフック１９、２９を結合させて固定し、オーニング８０を引っ張り出して前記二枚の遮蔽板７０を覆い、オーニング８０の環状留め具８０１を第一箱体１と第二箱体２の他方の側辺のフック１９、２９に結合させて固定し、オーニング８０で第一箱体１と第二箱体２の頂面が形成する開口を覆うことにより、ゴルフクラブ３０は、第一箱体１と第二箱体２内に密閉して収容される。
【符号の説明】
【００１６】
１        第一箱体                  
２        第二箱体
１０      収容空間                
２０      収容空間
１１      連結部                  
２１      連結部
１２      接合部                  
２２      接合部
１３      支持体                    
２３      支持体
１３１    凹溝                  
２３１    凹溝
１４      物置台座                  
２４      物置台座
１４０    物置空間              
２４０    物置空間
１４１    弾性挟片              
２４１    弾性挟片
１５      上蓋部                  
２５      上蓋部
１５１    第一結合部            
２５１    第一結合部
１６      第二結合部              
２６      第二結合部
１７      第一收納空間            
２７      第二收納空間
１７１    蓋体                  
２７１    蓋体
１８      凹溝                    
２８      凹溝
１９      フック                    
２９      フック
３        螺合部材                    
３１      雌留め具
３２      雄留め具                    
４        滑車
５        ブロック体                      
６        取っ手
７        支持棒                    
８        輪部
９        環状体                      
３０      ゴルフクラブ
４０      ベルト                    
５０      傘
６０      伸縮レール                
７０      遮蔽板
８０      オーニング                      
８０１    環状留め具
９０      收納裝置                
９０１    環状留め具
【図１】
0003172699.tif 000003
【図２】
0003172699.tif 000004
【図３】
0003172699.tif 000005
【図４】
0003172699.tif 000006
【図５】
0003172699.tif 000007
【図６】
0003172699.tif 000008
【図７】
0003172699.tif 000009
【図８】
0003172699.tif 000010
【図９】
0003172699.tif 000011